(57)【特許請求の範囲】
【請求項１】
互いに枢着結合された少なくとも２つのドア板（３，４）を有する折畳みドアまたは折畳みスライディングドア（２）用のエジェクション装置（１）であって、当該エジェクション装置（１）は、前記折畳みドアまたは前記折畳みスライディングドア（２）を、前記少なくとも２つのドア板（３，４）が１つの共通の閉鎖平面に配置されている閉鎖位置から、前記少なくとも２つのドア板（３，４）が１８０°とは異なる角度（７）を互いの間に成す開放位置へと開放折りするための少なくとも１つのエジェクションエレメント（５，６）を有しており、前記少なくとも１つのエジェクションエレメント（５，６）には、使用者によって手動でエネルギチャージされる少なくとも１つの蓄力器（８，９）によって力を加えることができ、少なくとも１つの当該エジェクション装置（１）は、前記少なくとも１つのエジェクションエレメント（５，６）を、エネルギチャージされた前記少なくとも１つの蓄力器（８，９）による力の作用に抗して、解離可能にロックするための少なくとも１つのロック装置（１０，１１）を有しており、前記少なくとも１つのロック装置（１０，１１）は、前記エジェクション装置（１）が取り付けられている場合に、前記折畳みドアまたは前記折畳みスライディングドア（２）に、好ましくは前記少なくとも２つのドア板（３，４）が互いに枢着結合されている領域（１２）に、押圧力を加えることによって、ロック解除可能であり、前記エジェクション装置（１）は、前記折畳みドアまたは前記折畳みスライディングドア（２）を折り畳むことによって前記少なくとも１つの蓄力器（８，９）をエネルギチャージするための、可動に支持された少なくとも１つのチャージエレメント（１３）を有している、エジェクション装置（１）において、
前記少なくとも１つのエジェクションエレメント（５，６）および前記少なくとも１つのチャージエレメント（１３）は、空間的に隔てられた構造ユニットとして形成されており、前記少なくとも１つのエジェクションエレメント（５，６）は、旋回可能に支持されたエジェクションレバーとして形成されていることを特徴とする、エジェクション装置（１）。
【請求項２】
前記少なくとも１つのエジェクションエレメント（５，６）は、該エジェクションエレメントを、前記折畳みドアまたは前記折畳みスライディングドア（２）の少なくとも開放折り時に、家具本体（１６）において、好ましくは家具本体（１６）の端面（１７）において支持するための少なくとも１つの支持エレメント（１４，１５）を有しており、前記支持エレメント（１４，１５）は、好ましくは転動体として、特に好ましくはローラとして形成されている、請求項１記載のエジェクション装置（１）。
【請求項３】
前記少なくとも１つのチャージエレメント（１３）は、旋回可能に支持されたチャージレバーとして形成されている、請求項１または２記載のエジェクション装置（１）。
【請求項４】
前記少なくとも１つのエジェクションエレメント（５，６）と前記少なくとも１つのチャージエレメント（１３）とは、同期化装置（１８）を介して運動連結されており、好ましくは、前記同期化装置（１８）は歯列（１９，２０，２１）を有している、請求項１から３までのいずれか１項記載のエジェクション装置（１）。
【請求項５】
前記少なくとも１つのエジェクションエレメント（５，６）と前記少なくとも１つのチャージエレメント（１３）とは、旋回可能に支持されており、前記同期化装置（１８）は、前記少なくとも１つのエジェクションエレメント（５，６）と前記少なくとも１つのチャージエレメント（１３）とが互いに逆向きに旋回可能となるように形成されている、請求項４記載のエジェクション装置（１）。
【請求項６】
当該エジェクション装置（１）は、鏡面対称に形成されている、請求項１から５までのいずれか１項記載のエジェクション装置（１）。
【請求項７】
前記少なくとも１つのエジェクションエレメント（５，６）の開放折り動作を開始するための少なくとも１つの斜面（２２，２３）が設けられている、請求項１から６までのいずれか１項記載のエジェクション装置（１）。
【請求項８】
前記少なくとも１つの蓄力器（８）と前記少なくとも１つのエジェクションエレメント（５，６）との間に、力変向レバー（２４，２５）が設けられている、請求項１から７までのいずれか１項記載のエジェクション装置（１）。
【請求項９】
前記少なくとも１つのエジェクションエレメント（５，６）における前記力変向レバー（２４，２５）の作用角（２６）は、解離可能に固定可能となっている、請求項８記載のエジェクション装置（１）。
【請求項１０】
前記少なくとも１つのエジェクションエレメント（５，６）に力を加えるための、少なくとも２つの互いに無関係に独立した蓄力器（８，９）が設けられている、請求項１から９までのいずれか１項記載のエジェクション装置（１）。
【請求項１１】
家具（２７）であって、
- 家具本体（１６）と、
- 互いに枢着結合された少なくとも２つのドア板（３，４）を有する少なくとも１つの折畳みドアまたは折畳みスライディングドア（２）であって、該折畳みドアまたは該折畳みスライディングドア（２）は、前記少なくとも２つのドア板（３，４）が１つの共通の閉鎖平面に配置されている少なくとも１つの閉鎖位置と、前記少なくとも２つのドア板（３，４）が１８０°とは異なる角度（７）を互いの間に成す開放位置とを占めることができる、折畳みドアまたは折畳みスライディングドア（２）と、
- 請求項１から１０までのいずれか１項記載の少なくとも１つのエジェクション装置（１）と、
を備えた家具（２７）。
【請求項１２】
前記少なくとも１つのエジェクション装置（１）は、前記２つのドア板（３，４）のうちの一方のドア板の、前記家具本体（１６）に向けられた側に配置されている、請求項１１記載の家具（２７）。
【請求項１３】
前記少なくとも１つのチャージエレメント（１３）は、前記折畳みドアまたは前記折畳みスライディングドア（２）の折畳み時に、前記２つのドア板（３，４）のうちの他方のドア板と共働する、請求項１２記載の家具（２７）。
【請求項１４】
前記家具本体（１６）は、前記少なくとも１つの折畳みドアまたは前記折畳みスライディングドア（２）を折り畳まれた位置において収容するための、特にダクト形状の中空室（２８）を有している、請求項１１から１３までのいずれか１項記載の家具（２７）。
【発明の詳細な説明】
【技術分野】
【０００１】
本発明は、互いに枢着結合された少なくとも２つのドア板を有する折畳みドアまたは折畳みスライディングドア用のエジェクション装置であって、このときエジェクション装置は、折畳みドアまたは折畳みスライディングドアを、少なくとも２つのドア板が１つの共通の閉鎖平面に配置されている閉鎖位置から、少なくとも２つのドア板が１８０°とは異なる角度を互いの間に成す開放位置へと開放折りするための少なくとも１つのエジェクションエレメントを有しており、このとき少なくとも１つのエジェクションエレメントには、使用者によって手動でチャージされる少なくとも１つの蓄力器によって力を加えることができ、少なくとも１つのエジェクション装置は、少なくとも１つのエジェクションエレメントを、チャージされた少なくとも１つの蓄力器による力の負荷に抗して、解離可能にロックするための少なくとも１つのロック装置を有しており、このとき少なくとも１つのロック装置は、エジェクション装置が取り付けられている場合に、折畳みドアまたは折畳みスライディングドアに、好ましくは、少なくとも２つのドア板が互いに枢着結合されている領域において、押圧力を加えることによって、ロック解除可能であり、このときエジェクション装置は、折畳みドアまたは折畳みスライディングドアを折り畳むことによって少なくとも１つの蓄力器をチャージするための、可動に支持された少なくとも１つのチャージエレメントを有している、エジェクション装置に関する。本発明はさらに、家具本体と、互いに枢着結合された少なくとも２つのドア板を有する少なくとも１つの折畳みドアまたは折畳みスライディングドアであって、該折畳みドアまたは折畳みスライディングドアは、少なくとも２つのドア板が１つの共通の閉鎖平面に配置されている少なくとも１つの閉鎖位置と、少なくとも２つのドア板が１８０°とは異なる角度を互いの間に成す開放位置とを占めることができる、折畳みドアまたは折畳みスライディングドアと、少なくとも１つの本発明に係るエジェクション装置と、を備えた家具に関する。
【０００２】
このような形式のエジェクション装置は、本出願人によるオーストリア国特許出願第８５５／２０１４号明細書（A 855/2014）に基づいて公知である。このエジェクション装置には、エジェクション装置が家具本体に取り付けられていて、これによって折畳みドアまたは折畳みスライディングドアの開放時に、家具の内部への接近可能性を困難にするという欠点がある。さらにエジェクション装置は、全体的な美的印象を損なう。最後に付言すればまた、蓄力器のチャージ時における力関係も不都合なことが分かっている。
【０００３】
別のエジェクション装置が、特開２０１１−１６２９９４号公報（JP 2011-162994 A）によって開示されている。この公報には、互いに枢着結合された２つのドア板から成る折畳みドアを、閉鎖位置から開放位置に開放折りする装置が開示されている。このとき開放折りのためには、使用者によって手動でチャージされた蓄力器によって力を加えることができるエジェクションエレメントが働く。エジェクション装置はさらに、チャージされた蓄力器による力の負荷に抗して、エジェクションエレメントを解離可能にロックするためのロック装置を有しており、このときロック装置は、エジェクション装置が取り付けられている場合に、折畳みドアに押圧力を加えることによってロック解除可能である。この場合エジェクションエレメントは、同時に、蓄力器をチャージするための、可動に支持されたチャージエレメントでもある。
【０００４】
ゆえに本発明の課題は、従来技術に対して改善されたエジェクション装置、および少なくとも１つのこのようなエジェクション装置を備えた家具を提供することであり、このときエジェクション装置は、特に上に記載した欠点を排除している。
【０００５】
この課題は、独立請求項である請求項１および請求項１１に記載の特徴によって解決される。
【０００６】
すなわち本発明の構成では、少なくとも１つのエジェクションエレメントおよび少なくとも１つのチャージエレメントは、空間的に隔てられた構造ユニットとして形成されており、このとき少なくとも１つのエジェクションエレメントは、旋回可能に支持されたエジェクションレバーとして形成されている。これによって好適な形式で、ドアのてこ作用を、少なくとも１つの蓄力器をチャージするために利用することができる。さらに、エジェクション装置を両方のドア板のうちの一方に配置することが可能であり、このように構成すると、エジェクション装置は、折畳みドアまたは折畳みスライディングドアの開放時に、折り畳まれた両方のドア板の間において見えなくなり、これにより、家具の内室への接近可能性も、全体的な美的印象も、損なわれ得なくなる。
【０００７】
本発明に係るエジェクション装置、もしくは少なくとも１つのこのようなエジェクション装置を備えた家具の好適な構成は、従属請求項２〜１０もしくは従属請求項１２〜１４において定義されている。
【０００８】
特に、エジェクション装置は、鏡面対称に形成されているようになっている。このように構成されていると、エジェクション装置を、右向き開放型の折畳みドアまたは折畳みスライディングドアにおいても、左向き開放型の折畳みドアまたは折畳みスライディングドアにおいても普遍的に使用することができる。
【０００９】
次に、本発明のその他の詳細および利点について、図面を参照しながら図面の記載によって詳しく述べる。
【図面の簡単な説明】
【００１０】
【図１ａ）】閉鎖された折畳みスライディングドアを備えた家具を示す斜視図である。
【図１ｂ）】図１ａ）に示された家具の平面図である。
【図１ｃ）】図１ａ）および図１ｂ）に示された家具におけるエジェクション装置の位置を示す側面図である。
【図１ｄ）】図１ｃ）に示されたエジェクション装置を示す斜視図である。
【図１ｅ）】エジェクション装置の分解図である。
【図２ａ）】超過押圧位置における折畳みスライディングドアを備えた家具を示す平面図である。
【図２ｂ）】図２ａ）に示された家具におけるエジェクション装置の位置を示す側面図である。
【図２ｃ）】図２ｂ）に示されたエジェクション装置を断面して示す斜視図である。
【図２ｄ）】ロックされた状態におけるロック装置を示す図である。
【図２ｅ）】ロック解除された状態におけるロック装置を示す図である。
【図２ｆ）】図２ｅ）に示されたロック装置の断面図である。
【図２ｇ）】ロック装置の分解図である。
【図２ｈ）】ロック装置の部材４４を示す背面図である。
【図３ａ）】折畳みスライディングドアの開放折り工程の開始時における家具の一部を示す平面図である。
【図３ｂ）】エジェクション装置が図３ａ）に示された折畳みスライディングドアの位置を占めている、エジェクション装置の状態を示す側面図である。
【図３ｃ）】図３ｂ）に示されたエジェクション装置の斜視図である。
【図４ａ）】図３ａ）に示された位置に対してさらに開放折りされた折畳みスライディングドアを備えた家具の全体を示す斜視図である。
【図４ｂ）】図４ａ）に示された家具の平面図である。
【図５ａ）】エジェクションエレメントが完全に走出された場合における、家具の一部を示す平面図である。
【図５ｂ）】エジェクション装置が図５ａ）に示された折畳みスライディングドアの位置を占めている、エジェクション装置の状態を示す斜視図である。
【図６ａ）】使用者によって実施される、折畳みスライディングドアの折畳みの開始時における家具を示す平面図である。
【図６ｂ）】エジェクション装置が図６ａ）に示された折畳みスライディングドアの位置を占めている、エジェクション装置の状態を示す側面図である。
【図６ｃ）】図６ｂ）に示されたエジェクション装置の斜視図である。
【図７】エジェクション装置が折畳みスライディングドアのさらに折り畳まれた場合において占める、エジェクション装置の状態を示す斜視図である。
【図８ａ）】折畳みスライディングドアのさらなる折畳みの途中における家具を示す平面図である。
【図８ｂ）】エジェクション装置が図８ａ）に示された折畳みスライディングドアの位置において占める状態を示す斜視図である。
【図８ｃ）】図８ｂ）に示されたエジェクション装置を、切り開かれたエジェクションエレメント５と共に示す図である。
【図９ａ）】なおさらに折り畳まれた折畳みスライディングドアを備えた家具を示す平面図である。
【図９ｂ）】エジェクション装置が図９ａ）に示された折畳みスライディングドアの位置において占める状態を、切り開かれたエジェクションエレメント５と共に示す斜視図である。
【図９ｃ）】図９ｂ）に示された状態におけるエジェクション装置を示す別の断面図である。
【図１０ａ）】完全に折り畳まれた折畳みスライディングドアを備えた家具を示す平面図である。
【図１０ｂ）】エジェクション装置が図１０ａ）に示された折畳みスライディングドアの位置において占める状態を示す斜視図である。
【図１０ｃ）】図１０ｂ）に示されたエジェクション装置を、切り開かれたエジェクションエレメント５と共に示す図である。
【図１１ａ）】折畳みスライディングドアが側部における中空室内に部分的に収容された場合における、家具全体を示す斜視図である。
【図１１ｂ）】図１１ａ）に示された家具を示す平面図である。
【図１２ａ）】折畳みスライディングドアが中空室内に完全に収容された場合における、家具全体を示す斜視図である。
【図１２ｂ）】図１２ａ）に示された家具を示す平面図である。
【図１３ａ）】折畳みスライディングドアが中空室から再び走出されて部分的に展開された場合における、家具を示す平面図である。
【図１３ｂ）】エジェクション装置が、図１３ａ）に示された折畳みスライディングドアの位置において占める状態を、切り開かれたエジェクションエレメント５と共に示す斜視図である。
【図１３ｃ）】図１３ｂ）に示された状態におけるエジェクション装置の一部を断面して示す図である。
【図１４】図１３ａ）に示された位置に対してさらに展開された折畳みスライディングドアにおける、家具の一部を示す平面図である。
【００１１】
図１ａ）には、家具本体１６と折畳みスライディングドア２とを備えた家具２７が示されており、折畳みスライディングドア２は、互いに枢着結合された２つのドア板３，４を有している。折畳みスライディングドア２は閉鎖位置にあり、この閉鎖位置において２つのドア板３，４は、１つの共通の閉鎖平面に配置されている。家具本体１６内には、折畳みスライディングドア２を折り畳まれた位置において収容するための中空室２８が形成されている。中空室２８は、ダクト形状であり、家具本体１６の縁部領域に配置されている。
【００１２】
図１ｂ）には、図１ａ）に示された家具が上から見た平面図で示されている。折畳みスライディングドアには、エジェクション装置１が配置されており、このエジェクション装置１については、後続の図１ｃ）〜図１ｅ）において詳しく記載する。
【００１３】
エジェクション装置１は、ドア板３の、家具本体１６もしくは家具内部に向けられた側に配置されている。このドア板３の後縁は、破線３０を用いて略示されている。エジェクション装置１は、折畳みスライディングドアを閉鎖位置から開放位置に開放折りするエジェクションエレメント５を有しており、開放位置において２つのドア板は、１８０°とは異なる角度を互いの間に成している。
【００１４】
エジェクションエレメント５は、折畳みスライディングドアの開放折り時の、家具本体１６の端面１７における、より正確に言えば家具本体のカバープレート（Deckelblende）における支持のために支持エレメント１４を有しており、このとき支持エレメント１４は、ローラの形の転動体として形成されている。
【００１５】
ドア板３の後縁３０とカバープレート１７との間における間隔は、符号３１で示されていて、約１５ｍｍである。エジェクションユニット１は、そこからさらに延びる部材、例えば２４，２５および１３を有しており、これらの部材は、最大で約４５ｍｍ、家具の収容領域もしくは作業領域内に進入している。この間隔には、符号３２が付されている。
【００１６】
図１ｄ）には対称平面３３が示されており、この対称平面３３は、エジェクションユニット１の中心長手方向軸線を通って延びていて、この対称平面３３に対してエジェクション装置１は鏡面対称に形成されている。鏡面対称の構成には、エジェクションユニット１を、図１ａ）に示されているような折畳みスライディングドア２においても、左側に配置されていて左に向かって開放させられる折畳みスライディングドアにおいても、使用することができるという利点がある。そのためにはエジェクションユニット１を、単に１８０°反転させるだけでよい。しかしながらまたエジェクションユニット１の作用形式のためには、２つの鏡面対称の半部のうちの一方でも十分である。
【００１７】
詳しく述べると、エジェクションユニット１は以下のように構成されている。すなわちエジェクションユニット１は、ベース２９を有しており、このベース２９を介してエジェクションユニット１は、折畳みドアまたは折畳みスライディングドアに取付け可能である。本実施形態ではエジェクションユニット１は、ベース２９を介して、折畳みスライディングドア２のドア板３に取り付けられている。ベース２９には、２つのエジェクションエレメント５，６が配置されており、これらのエジェクションエレメント５，６は、旋回可能に支持されたエジェクションレバーとして形成されている。エジェクションエレメント５，６は、それぞれ１つのベース５４を有しており、このベース５４には、第１のキャリッジ５３が移動可能に支持されている。ベース５４に対してキャリッジ５３には、平行な２つの引張りばねとして形成された第１の蓄力器９によって力を加えることができる。移動可能なキャリッジ５３の自由端部には、ローラとして形成された２つの転動体が配置されており、つまり一方では、支持エレメント１４が家具本体における支持のために配置されていて、かつ他方では、ローラ５１が配置されており、このローラ５１は、エジェクションエレメント５の開放折り動作（Aufknickbewegung）を開始するための斜面２２に支持されていてよい。同一に形成されたエジェクションエレメント６の場合、両方のローラは符号１５および５２が付されており、かつローラ５２が開放折り動作の開始時に支持され得る斜面には、符号２３が付されている。
【００１８】
エジェクションエレメント５；６のベース５４には、キャリッジ５３の他にさらに別のキャリッジ５６が移動可能に支持されており、このキャリッジ５６には同様に、引張りばね５７として形成された蓄力器を介して、ベース５４に対して、力を加えることができる。キャリッジ５６は、固定装置４０に対して作用する圧縮ばね５８およびピン５５と一緒に、力変向レバー２４，２５の作用角２６（図１ｃ）参照）をエジェクションエレメント５，６に解離可能に固定するために働く。この固定装置の作用形式については、図８ｃ）、図９ｃ）、図１０ｃ）および図１３ｂ）との関連において詳しく記載する。
【００１９】
エジェクションエレメント５，６のキャリッジ５３は、結合エレメント４３を介して互いに運動連結されている。
【００２０】
蓄力器９の他に、該蓄力器９とは無関係の、エジェクションエレメント５，６に力を加える２つの引張りばねとして形成された、別の蓄力器８が設けられており、このとき力は、力変向レバーを介して加えられ、この力変向レバーは、キャリッジ５６に回転可能に支持されていて、第１のプレート形状の部材２５と、この部材２５に枢着結合された２つのアーム２４とから構成されている。これらのアーム２４は、その他方の端部において、直線的に移動可能なキャリッジ３４に回転可能に支持されており、このキャリッジ３４は、ベース２９に沿って直線的に移動可能である。引張りばね８は、懸吊部３５を介して、一方ではリニアキャリッジ３４に懸吊され、かつ他方ではベース２９に懸吊されている。
【００２１】
エジェクションエレメント５，６における力変向レバー２４，２５の作用角２６が固定されている場合、力変向レバー２４，２５は、側面図で見て（図１ｃ）参照）膝形状にエジェクション装置１から突出している。
【００２２】
エジェクション装置１はさらに、引っ張りによりエネルギチャージされた蓄力器８，９によって加えられる力に抗してエジェクションエレメント５，６を解離可能にロックする２つのロック装置１０，１１を有している。ロック装置１０，１１の構造および作用形式については、図２ｃ）〜図２ｈ）との関連において詳しく述べる。
【００２３】
エジェクション装置１のベース２９には、さらにチャージエレメント１３が可動に支持されており、このときこのチャージエレメント１３は、旋回可能に支持されたチャージレバーとして形成されている。チャージエレメント１３は、ベース２９に対して、２つの脚付ばね４２として形成された蓄力器を用いて、図１ｃ）および図１ｄ）に示された位置において保持される。
【００２４】
エジェクションエレメント５，６およびチャージエレメント１３は、同期化装置１８を介して互いに運動連結されている。同期化装置１８は、ベース２９にハウジング３７を介して回転可能に支持された歯車２０として形成された歯列を有しており、この歯車２０は、一方ではリニアキャリッジ３８に配置されたラック１９と、かつ他方ではリニアキャリッジ３９に配置されたラック２１とに噛み合っている。リニアキャリッジ３９は、結合エレメント４１を介してチャージエレメント１３に連結されている。リニアキャリッジ３８は、ロック爪３６を介してリニアキャリッジ３４に連結されてよい。そのためにロック爪３６はピンで、リニアキャリッジ３８における開口６７内に係止する。このキャリッジ３４とキャリッジ３８とのこの連結に対する詳細は、図９ｃ）および図１３ｃ）との関連において詳しく述べる。
【００２５】
エジェクション装置１が折畳みスライディングドア２の閉鎖位置において占める、図１ｃ）および図１ｄ）に示された状態において、蓄力器８，９は完全にエネルギチャージされていて、エジェクションエレメント５，６は、ロック装置１０，１１を介して、エネルギチャージされた蓄力器８，９による力の負荷に抗してロックされている。エジェクションエレメント５，６における力変向レバー２４，２５の作用角は、引き続き固定されている。
【００２６】
ロック装置１０，１１をロック解除するために、使用者は折畳みスライディングドア２を押圧する（図２ａ）参照）。これによって折畳みスライディングドア２は、超過押圧位置にもたらされる。押圧力は、好ましくは、２つのドア板３，４が互いに枢着結合されている領域１２において加えられる。図示の実施形態では、作動移動行程は２ｍｍである。
【００２７】
エジェクションユニット１は、折畳みスライディングドア２に取り付けられていて、同時に支持エレメント１４を介して家具本体１６の端面１７に支持されているので、折畳みスライディングドア２に押圧力を加えることによって、エジェクションエレメント５は押圧され、かつ間接的にさらなる続きにおいて、両方のエジェクションエレメント５，６の間における結合エレメント４３はロックされた状態においてロック装置１０，１１の係止くさび４４の溝５９に係合しているので、この係止くさび４４は、下方に向かって、つまり折畳みスライディングドア２のドア板３，４の方向に押圧される。
【００２８】
図２ｃ）〜図２ｈ）から分かるように、係止くさび４４は、案内溝６１内に支持された玉５０を介して、ベースエレメント４８に形成されている心臓形状のロック軌道６０と共働し、このとき係止くさび４４には、玉５０が心臓凹部内にあるロックされた位置において、ベースエレメント４８に対して、押圧ばね４５を介して力が加えられている。係止くさび４４のロック解除運動によって、玉５０は心臓凹部から外に移動し、ロックは消滅させられる。さらなる続きにおいて、係止くさび４４は、折畳みスライディングドア２のドア板３，４によって、斜め上に向かって、圧縮ばね４５に貯えられた力の作用下で、離反移動させられ、結合エレメント４３のための移動行程、ひいてはエジェクションエレメント５，６のために移動行程を解放する。ベースエレメント４８および圧縮ばね４５ならびに係止くさび４４は、２つのハウジング部分４７，４９によって保持されている。
【００２９】
ロック解除によって、結合エレメント４３、ひいてはエジェクションエレメント５，６は解放される。その結果、リニアキャリッジ５３をベース５４に対して、蓄力器９に貯えられたエネルギの解放により走出させることができる（図３ｂ）および図３ｃ）参照）。このときエジェクションエレメント５，６は、ローラ５１；５２を介して斜面２２；２３に沿って滑動し、これによってキャリッジ５３の走出運動は、エジェクションエレメント５，６の旋回運動に転換される。斜面２２，２３の高さ６９は、２０ｍｍである。エジェクションエレメント５，６は、支持エレメント１４，１５を用いて同時に家具本体に支持されているので、折畳みスライディングドア２は開放折りされる（図３ａ）参照）。つまり斜面２２，２３は、エジェクションエレメント５，６の開放折り動作を開始するために働く。
【００３０】
図３ａ）との関連においてさらに付言すると、折畳みスライディングドア２のドア板４は、ヒンジ６４を介して家具本体に枢着的に配置されており、ドア板３，４はヒンジ６３を介して互いに枢着結合されており、かつドア板３はスライディングキャリッジ（Laufwagen）６２を用いて、家具本体に設けられた案内エレメント６５に移動可能に支持されている。
【００３１】
エジェクションエレメント５，６と旋回可能に支持されたチャージエレメント１３とは、同期化装置１８を介して運動連結されており、つまりエジェクションエレメント５，６の旋回がチャージエレメント１３の逆向きの旋回を生ぜしめるように、かつそれとは逆にチャージエレメント１３の旋回がエジェクションエレメント５，６の逆向きの旋回を生ぜしめるようになっており、このことは、図３ｂ）において時計回り方向および反時計回り方向に向いた矢印によって略示されている。
【００３２】
キャリッジ５３が少なくとも部分的にベース５４から走出させられ、これによってエジェクションエレメント５，６が斜面２２，２３を介して旋回させられるや否や、蓄力器８に貯えられたエネルギを、力変向レバー２４，２５を介して有効にすることができる。すなわち、エジェクションエレメント５，６の開放折り動作の開始中に、まず主として、蓄力器９に貯えられたエネルギが解放され、次いで主として、もしくはキャリッジ５３の完全な走出後に、無関係に独立した蓄力器８に貯えられたエネルギが解放され、これによってエジェクションエレメント５，６はさらに旋回させられ、ひいては折畳みスライディングドア２はさらに開放折りされる。
【００３３】
図４ａ）および図４ｂ）には、この開放折り動作中における折畳みスライディングドアの中間位置が示されている。
【００３４】
図５ａ）および図５ｂ）には、２つのドア板３，４が１つの共通の閉鎖平面に配置されている閉鎖位置から、２つのドア板３，４が１８０°とは異なる角度（具体的にはこの角度７は約１５０°である）を互いの間に成している開放位置への、折畳みスライディングドア２の開放折りの終了時における、折畳みスライディングドア２もしくはエジェクション装置１の位置が示されている。
【００３５】
蓄力器８，９は、ほぼエネルギ放出されており、キャリッジ５３は、ベース５４に対して最大に走出されていて、リニアキャリッジ３４（図１ｅ）も参照）は、蓄力器８のエネルギ放出によってエジェクション装置１のハウジング２９に対するその終端位置に達している。したがってエジェクションエレメント５，６は、さらなる旋回が不可能である。
【００３６】
同時に、チャージエレメント１３もまた最大に旋回させられていて、つまりチャージエレメント１３はドア板４に接触するまで旋回させられている。したがってエジェクション装置１のこの位置は、チャージ動作の開始をも示す。
【００３７】
つまりいまやこれによって使用者は、折畳みスライディングドア２をさらに開放し始め、これによって同時に、ドア板３の移動およびドア板３，４の折畳みが生ぜしめられ、つまりドア板３，４の間における角度は小さくなる。使用者によるこの力の作用は、図６ａ）において矢印を用いて略示されている。
【００３８】
チャージエレメント１３はドア板４に接触しているので、折畳みスライディングドア２の折畳みによって、チャージエレメント１３はその本来の位置、つまりチャージエレメント１３が折畳みスライディングドア２の閉鎖位置において占めていた位置の方向に旋回させられる（図６ｂ）および図６ｃ）参照）。チャージエレメント１３の旋回運動は、結合エレメント４１を介して、リニアキャリッジ３９の直線運動に変換され、このときリニアキャリッジ３９の運動は、さらに同期化装置１８によってリニアキャリッジ３４の逆向きの直線運動を生ぜしめ、このことはさらに、蓄力器８のエネルギチャージおよびエジェクションエレメント５，６の逆向きの旋回運動を生ぜしめる。
【００３９】
図７には、折畳みスライディングドアのさらなる折畳みの途中におけるエジェクション装置１の位置が示されている。この状態において、もっぱら蓄力器８がエネルギチャージされる。
【００４０】
さらなる続きにおいて、エジェクションエレメント５，６はローラ５１，５２を介して斜面２２；２３の上に当接し、これによって追加的にさらに蓄力器９もまたエネルギチャージされる。図８ａ）〜図８ｃ）は、蓄力器８，９の同時チャージ時におけるエジェクション装置１の中間位置が例示されている。
【００４１】
エジェクション装置１の、上に記載されたすべての位置において、エジェクションエレメント５，６における力変向レバー２４，２５の作用角２６は固定されている（図１ｃ）参照）。図８ｃ）には、図８ｂ）に示されたエジェクション装置１の一部が、断面されたエジェクションエレメント５と共に示されており、この図８ｃ）は、力変向レバーの作用角のこの固定形式を具体的に示すものである。すなわち力変向レバー２４，２５は、リニアキャリッジ５６（図１ｅ）も参照）に回転可能に支持されている。作用角が固定されている場合、リニアキャリッジ５６もしくはエジェクションエレメント５，６に対する力変向レバーのプレート形状の部材２５の回転運動は阻止される。そのために爪ピン（Klinkenbolzen）５５が設けられており、この爪ピン５５は、ベース５４の切欠き内に配置されていて、力変向レバーの作用角を固定するために、リニアキャリッジ５６に設けられた切欠き内に係合する。これによって、エジェクションエレメント５，６の自由端部の方向におけるリニアキャリッジ５６の運動が阻止される。逆方向へは、リニアキャリッジ５６はいずれにせよ移動することができない。それというのはリニアキャリッジ５６は、ベース５４に設けられた案内軌道６６において終端位置にあるからである。リニアキャリッジ５６は、図８ｃ）に示された状態において軽く予荷重を加えられている引張りばね５７を介して、ベース５４に結合されている。ピン５５は、固定された作用角において、鉛直方向にも逃げることができず、ひいてはリニアキャリッジ５６を解放することができない。それというのは、鉛直方向におけるピン５５のこのような運動は、固定装置４０によって阻止されており、この固定装置４０は、圧縮ばね５８を介して力を加えられ、かつ同様にベース５４において移動可能に支持されている。全体的に見ると、リニアキャリッジ５６はベース５４に対して運動することができない。これによってエジェクションエレメント５，６における、力変向レバーのプレート形状の部材２５の作用角は、固定されている。
【００４２】
しかしながら折畳みスライディングドア２を、完全に折り畳みたい場合、つまりドア板３，４が互いにほぼ平行に方向付けられた位置に移送させたい場合には、力変向レバー２４，２５の作用角の固定を消滅させる必要がある（図９ａ）参照）。固定の消滅は、チャージエレメント１３を折畳みスライディングドア２のドア板３，４の相対運動によって、エジェクション装置１のベース２９の方向になおさらに運動させることによって行われる。これによって、結合エレメント４１を介してチャージエレメント１３に連結されているリニアキャリッジ３９における固定装置４０は、力変向レバーのプレート形状の部材２５から離反運動させられる（図１ｅ）参照）。すなわち固定装置４０はエジェクションエレメント５，６のベース５４において、圧縮ばね５８がなおさらに圧縮されるように運動させられる。図９ｂ）から認識できるように、これによってピン５５は、鉛直方向において解放される。折畳みスライディングドア２のドア板３，４の相対運動によって力変向レバー２４，２５に対して圧力が加えられると、これによってリニアキャリッジ５６に力が加えられ、このリニアキャリッジ５６はピン５５を鉛直方向において押圧して離反させる。リニアキャリッジ５６は、ベース５４に設けられている案内軌道６６において、エジェクションエレメント５，６の自由端部の方向に運動することができ、ひいては力変向レバー２４，２５は折り畳まれる。
【００４３】
さらに付言すると、図９ａ）〜図９ｃ）に示されたエジェクション装置１の位置が得られた場合に、蓄力器８，９のエネルギチャージ工程は終了している。この状態において不所望のエネルギ放出を阻止するために、エジェクションエレメント５，６はロック装置１０，１１を用いてロックされる。
【００４４】
蓄力器８もエネルギチャージされているが、ドア板３，４の平行位置を得ることができるようにするためには、しかしながらなおチャージエレメント１３は、ちょうど力変向レバー２４，２５と同様に、ベース２９上に折り畳まれねばならず（図１０ａ）〜図１０ｃ）参照）、かつチャージエレメント１３はリニアキャリッジ３９を介してリニアキャリッジ３８に、同期化装置１８によって運動連結されているので、蓄力器８のチャージ状態を保つこと、および力変向レバー２４，２５およびチャージエレメント１３の、ほぼ無力の折畳みを可能にすることが提供されている。このことは、リニアキャリッジ３４，３８の連結が、リニアキャリッジ３４に旋回可能に支持されていてかつ連結された状態においてリニアキャリッジ３８の開口６７内に係合するロック爪３６を介して、消滅させられることによって可能になり、このときロック爪３６は、リニアキャリッジ３８から離反旋回する。このとき同時にリニアキャリッジ３４は、チャージされた蓄力器８においてベース２９に固定される（図９ｃ）参照）。リニアキャリッジ３４，３８の連結解除によって、いまや、チャージエレメント１３に連結されているリニアキャリッジ３９の運動時に、リニアキャリッジ３８はほぼ無力で一緒に運動することができる。
【００４５】
図１０ａ）には、完全に折り畳まれた状態における折畳みスライディングドア２が示されており、この状態において両方のドア板３，４は、互いにほぼ平行に方向付けられている。図１０ｂ）および図１０ｃ）は、エジェクション装置１が折畳みスライディングドア２のこの位置において占める状態を示している。つまりこの状態において、エジェクション装置１のすべてのエレメントは、ほぼベース２９の平面に配置されている。図１０ｃ）には、エジェクション装置１の一部が、断面されたエジェクションエレメント５と共に示されている。リニアキャリッジ５６は案内軌道６６内において（例えば図８ｃ）参照）、エジェクションエレメント５，６の自由端部に隣接して配置された終端位置に位置している。引張りばね５７は、完全にチャージされている。
【００４６】
図１１ａ）および図１１ｂ）ならびに図１２ａ）および図１２ｂ）が示すように、折り畳まれた折畳みスライディングドア２は、いまや家具本体１６にもしくは家具本体１６内に配置された中空室２８内に配置することができる。そのために中空室２８内にもしくは中空室２８に、折畳みスライディングドア２用の案内装置４６が設けられている。いまや家具２７の内部は自由に接近可能である。内部には、例えばキッチン６８が設けられていてよい。
【００４７】
折畳みスライディングドア２を、図１２ａ）および図１２ｂ）に示された状態を起点として、再び図１ａ）に示された閉鎖位置に移送させるために、折り畳まれた折畳みスライディングドア２は、再び中空室２８から外に運び出される。折畳みスライディングドア２の展開（Entfalten）時に、力変向レバー２４，２５は、引張りばね５７内に貯えられたエネルギの解放によって展開する。チャージエレメント１３もまた再びベース２９から離反旋回する。そのために２つの脚付ばね４２が設けられており（図１ｅ）参照）、この両方の脚付ばね４２は、チャージエレメント１３を、例えば図１ｄ）に示された中立位置において保つ。折畳みスライディングドア２が完全に折り畳まれた場合に、エネルギが脚付ばね４２内に貯えられ、このエネルギは、折畳みスライディングドア２の展開時に再び解放される。リニアキャリッジ５６は再びロックされ、ひいてはエジェクションエレメント５，６における力変向レバー２４，２５の作用角は固定される（図１３ｂ）参照）。
【００４８】
さらに両方のリニアキャリッジ３４，３８は、ロック爪３６を用いて再び互いに結合される（図１３ｃ）参照）。全体的に見て、エジェクションユニット１は、いまや再びその出発位置（図１ｃ）および図１ｄ）参照）にあり、そこで新たな作動まで留まる。
【００４９】
図１４には、使用者によって押圧力が加えられることによって、図１２ａ）および図１２ｂ）に示された状態から、図１ａ）に示された閉鎖状態に、折畳みスライディングドア２が移送される場合における、折畳みスライディングドア２の中間位置が示されている。
【図１ａ）】
0006490254.tif 000002
【図１ｂ）】
0006490254.tif 000003
【図１ｃ）】
0006490254.tif 000004
【図１ｄ）】
0006490254.tif 000005
【図１ｅ）】
0006490254.tif 000006
【図２ａ）】
0006490254.tif 000007
【図２ｂ）】
0006490254.tif 000008
【図２ｃ）】
0006490254.tif 000009
【図２ｄ）】
0006490254.tif 000010
【図２ｅ）】
0006490254.tif 000011
【図２ｆ）】
0006490254.tif 000012
【図２ｇ）】
0006490254.tif 000013
【図２ｈ）】
0006490254.tif 000014
【図３ａ）】
0006490254.tif 000015
【図３ｂ）】
0006490254.tif 000016
【図３ｃ）】
0006490254.tif 000017
【図４ａ）】
0006490254.tif 000018
【図４ｂ）】
0006490254.tif 000019
【図５ａ）】
0006490254.tif 000020
【図５ｂ）】
0006490254.tif 000021
【図６ａ）】
0006490254.tif 000022
【図６ｂ）】
0006490254.tif 000023
【図６ｃ）】
0006490254.tif 000024
【図７】
0006490254.tif 000025
【図８ａ）】
0006490254.tif 000026
【図８ｂ）】
0006490254.tif 000027
【図８ｃ）】
0006490254.tif 000028
【図９ａ）】
0006490254.tif 000029
【図９ｂ）】
0006490254.tif 000030
【図９ｃ）】
0006490254.tif 000031
【図１０ａ）】
0006490254.tif 000032
【図１０ｂ）】
0006490254.tif 000033
【図１０ｃ）】
0006490254.tif 000034
【図１１ａ）】
0006490254.tif 000035
【図１１ｂ）】
0006490254.tif 000036
【図１２ａ）】
0006490254.tif 000037
【図１２ｂ）】
0006490254.tif 000038
【図１３ａ）】
0006490254.tif 000039
【図１３ｂ）】
0006490254.tif 000040
【図１３ｃ）】
0006490254.tif 000041
【図１４】
0006490254.tif 000042